(57)【要約】本発明は自動サンプルディスペンサーを使用してサンプルまたは試薬を分注する場合の互いに空間的に近い場所にある反応容器の配置内で空の反応容器、あるいは検体を含まないサンプル物質または低濃度の検体を含有するサンプル物質をすでに入れた反応容器の汚染を減少させる方法に関する。本発明はまた、起こりうる汚染を減少または回避するためのハードウエアに関連した手段に関する。【特許請求の範囲】
【請求項１】
自動サンプルディスペンサーを使用してサンプルまたは試薬を分注する間の互いに空間的に近い場所にある反応容器の配置内で、空の反応容器、あるいは検体を含まないサンプル物質または低濃度の検体を含有するサンプル物質をすでに入れた反応容器の汚染を減少させる方法であって、酵素／基質色素試験を使用して最初にモデルＡ：
ａ） 酵素溶液を上記空間的配置の構成領域の反応容器に加え、一方残りの反応容器は適当な色原体／基質試薬を含有する吸収性層状物質で被覆され、呈色反応はその酵素との接触により誘導され、
ｂ）着色された被覆反応容器の数、強度および／または分布を測定すること、により汚染の程度を確認し、そして次に着色された反応容器の数または強度が減少されるように液体の取り込み（吸引プロファイル）および液体の放出（分配プロファイル）を変更することからなる、上記の方法。
【請求項２】
自動サンプルディスペンサーを使用してサンプルまたは試薬を分注する間の互いに空間的に近い場所にある反応容器の配置内で、空の反応容器、あるいは検体を含まないサンプル物質または低濃度の検体を含有するサンプル物質をすでに入れた反応容器の汚染を減少させる方法であって、酵素／色素試験を使用して最初にモデルＢ：
ａ） 酵素溶液を上記空間的配置の構成領域の反応容器に加え、
ｂ） 酵素との接触により呈色反応を誘導する適当な色原体／基質試薬を前記空間的配置の残りの構成領域の反応容器に加え、
ｃ） 反応容器の着色を測定することにより起こりうる汚染を確認すること；
により汚染の程度を確認し、そして次に着色された反応容器の数または強度が減少されるように液体の取り込み（吸引プロファイル）および液体の放出（分配プロファイル）を変更することからなる、上記の方法。
【請求項３】
反応容器はマイクロタイタープレートのウェルである請求項１記載の方法。
【請求項４】
反応容器はマイクロタイタープレートのウェルである請求項２記載の方法。
【請求項５】
ａ） 自動サンプルディスペンサーはＢＥＰ２０００または本質的にＢＥＰ２０００と同様に構成された全自動機械の一部であり；
ｂ） 互いに空間的に近い場所にある反応容器の配置は図３に示されるような配列：ポジションＡ、ポジションＢ、ポジションＣおよびポジションＤの４個のマイクロタイタープレートの水平面上にある線形配置からなり；
ｃ） 廃液ステーション（ＬＷＳ）はポジションＤからポジションＡまでの想像線のほぼ延長部でポジションＡに極めて近接して位置し；
ｄ） 酵素溶液をポジションＡ〜Ｄのマイクロタイタープレートの構成領域に加え；そして
ｅ） 起こりうる汚染の決定は特に廃液ステーション（ＬＷＳ）から発生する汚染を含む、
請求項４記載の方法。
【請求項６】
廃液ステーション（ＬＷＳ）は上部カバーリングにより被覆され、その中にある開口部は一方で廃液ステーション（ＬＷＳ）からのしぶきに対して最適な保護手段となるようにできるだけ小さく、他方でこれに関連して液体が間違ってこの開口部の端に接触しないように過剰量のサンプルをこの開口部を通して廃液ステーション（ＬＷＳ）に再生可能に放出することができる請求項５記載の方法。
【請求項７】
廃液ステーション（ＬＷＳ）は上部の容器壁がそれが提供する機能を維持しながら別個のカバーリングを省くことができるようなカバーリングに相当するように最初から構成される請求項６記載の方法。
【請求項８】
廃液ステーション（ＬＷＳ）は廃液ステーションと被覆マイクロタイタープレートポジションの間に機械的保護装置を設置することにより分離
され、それにより汚染を防止する請求項６記載の方法。
【請求項９】
請求項６記載の方法に使用するのに適した被覆廃液ステーション（ＬＷＳ）。
【請求項１０】
請求項７記載の方法に使用するのに適した廃液ステーション（ＬＷＳ）。
【発明の詳細な説明】
【０００１】
本発明は自動サンプルディスペンサーを使用してサンプルまたは試薬を分注する間の互いに空間的に近い位置にある反応容器の配置内で、空の反応容器、あるいは検体を含まないサンプル物質または低濃度の検体を含有するサンプル物質をすでに入れた反応容器の汚染を減少させる方法、さらに汚染を減少または予防するためのハードウエア−サイド測定器に関する。
【０００２】
本発明はデイドベーリングＢＥＰ（登録商標）２０００を使用して導き出され、それを実施例を行なうためにも使用したが、本発明の対象はこのシステムに限定されない。
分注ロボット（サンプルディスペンサーとも呼ばれる）という名称の機器によるサンプルの自動分注は、ヒト血清学および獣医学の研究を確立するために検査室で幅広く使用されており、また診断検査のために、さらに最近では微生物学的／組み換えＤＮＡ問題にも関連して使用されている。
【０００３】
サンプルを分注するために特別に開発された市販の機器、すなわちハミルトンマイクロラボＡＴプラス（登録商標）のようなスタンドアロン型機器が本目的のために使用され、試験は別々に、手動または本目的のために特別に設計されたデイドベーリングＢＥＰ  ＩＩＩ（登録商標）のような処理装置を使用して行なわれる。
別法として、サンプルの分配は、後に続く検体を測定する実際の試験法もまた自動的に行なう全自動機械の、不可欠な部分またはモジュールである。
【０００４】
これらのいわゆるフロントエンド機器の例は次の通りである：
・ＢＮ１００（登録商標）、デイドベーリング・マールブルク社製、ヒトサンプル物質の免疫化学的血漿タンパク質を測定する；
・ＥＴＩラボ（登録商標）、ジアソリン社製、およびＢＥＰ（登録商標）２０００、デイドベーリング社製、酵素免疫測定法（ＥＬＩＳＡ）に基いて感染血清学分野の検体を検出する。
【０００５】
上記２製品の研究方法および診断用途は実質的に異なるが、２種の機器が基づく論理は同じである。既知の全自動機械は、希釈していないかまたは予備希釈後のサンプルを反応容器に分配し、実際の測定法もまた免疫学的に反応性の成分を加えることにより自動的に行なわれる。
一般の方法では、小試験管、マイクロタイタープレート、キュベットなどを反応容器として使用することができる。
【０００６】
検査結果を（光度測定、比濁法などにより）測定した後、個々のサンプルをそれぞれ関連したソフトウエアでプログラム化したコンピュータプログラムにより分類し、全テストランを確認するため、調査する検体に関して、陽性であるか、陰性であるか、または試験定義で与えられる場合は閾値のような基準を適用する。
【０００７】
検体は特定の血漿タンパク質（例えば腫瘍マーカー）、受胎または甲状腺マーカー（例えばＦＳＨまたはＣａ１５−９）、抗体（例えばＧクラス風疹−特異的免疫グロブリン）、抗原（例えばＢ型肝炎表面抗原／ＨｂｓＡｇ）および当業者に知られている他のパラメーターである。
【０００８】
特定のパラメーターの場合、その濃度を定量的または半定量的に測定することは治療を示唆または監視するのに診断上重要であり、これは一般にソフトウエアにサポートされて行なわれる。しばしば、患者志向の結果のプリントアウト（分析（ａｎａｌｙｔｅａｌ）機器に属するコンピュータ、ハードコピーおよび／または中央コンピュータ）は、バーコードにより検出される主要な試験管によって相当するサンプルに割り当てられる。
【０００９】
分注工程の間、空の反応容器または検体を含まないサンプル物質をすでに入れた反応容器が実際に検体を含有する物質で汚染されている場合、このような痕跡は、実際に検体を含まないサンプルにおいて間違って反応性をシミュレートし得る。同様に汚染は、低濃度の検体を含有するサンプルにおいて高すぎるパラメーターレベルのシミュレーションをもたらし得る。
【００１０】
このような誤った陽性反応の起こりうる結果は多様であり、また知られており、このような影響は感染血清学の分野では特に深刻な結果を引き起こす可能性がある：
・全く存在しない免疫学的保護がシミュレートされうる；Ａ型肝炎ウイルス抗原（抗−ＨＡＶ）またはＢ型肝炎ウイルス抗原（抗−ＨＢｓ）に対する抗体を測定する際の誤った陽性結果は、正確に行なわれるべき予防接種の実施を失敗に導く可能性がある；
・献血に関連してパラメーターを選別する場合、高い割合の誤った陽性結果は、さらに試験を行なう必要があるため実質的に保存血液の放出を遅らせる；一般に保存血液の受容者に害を与えないことを前提としているが、ＡＩＤＳ結果（抗−ＨＩＶ）が誤った陽性である場合、その不明確さを明らかにするために再びドナーを呼び出す必要があり、当該ドナーが引き起こすと考えられる心理的な苛立ちの他に、時間の消費および経費が相当増加する；
・例えばＢＮ１００（登録商標）を使用する腫瘍マーカーまたはＥＴＩラボ（登録商標）を使用する抗風疹ウイルス抗体の定量の場合、使用する治療法（治療中の患者の腫瘍マーカーを進行させる）または着手する対策（誤った陽性結果は妊娠を監視するという状況の中で風疹特異的抗体を増加させる）に関して間違った結論を出すと考えられる。
【００１１】
汚染の影響および起こりうる結果は共に様々な条件下で知られており、より信頼性のある検査診断とするために、特に使用者の時間および経費を削減するために当業者に知られている多種多様の対策で対応している：
例えば“エントレインメント”または“キャリー・オーバー”は一般にピペットのチップまたは針の内面に付着する検体残留物を意味すると理解される；例えば針の先端がサンプルの分注作業中に使用される場合、非常に少量の検体含有サンプル残留物が、この検体を含有しないかまたはそれを低濃度で含有するサンプルを分注するその後の作業の１回または数回においてキャリー・オーバーすることがある。このような影響の結果は、誤った陽性反応が、分注の間に時間的に、さらに通常は物理的に検体含有サンプルの位置の後に位置する反応容器の１個または数個において判定されるという事実により理解される。数個の反応容器が順々に影響を受けた場合、この影響が現れる程度は典型的にある反応容器から次の反応容器へと組織的に減少する。
【００１２】
今までのところ、有効な対応策は、検体含有サンプルの後の第１ポジションにおいては、使用した試験法を実験的に干渉するような１００万分の１（検体を含まないサンプルでの検体含有サンプルの１：１０６最終希釈）のキャリー・オーバーがもはや検出されない場合に実行されたとみなされる。
【００１３】
現在、これは例えばそれぞれの分注作業の後、次のサンプルを分注する前に針の内面に付着する検体を除去するため、ピペットの針（しばしばステンレススチール製の針）を洗浄するのに使用される適当な洗浄用緩衝液（例：Ｔｅｃａｎ Ｇｅｎｅｓｉｓ ＲＳＰ（登録商標））を使用することにより達成することができる。
【００１４】
別法は使い捨てのチップを使用することであり、交換可能なチップとも呼ばれるこれらのパーツはそれぞれのサンプル分注作業の後に捨てられる（例：Ｓｏｒｉｎ ＥＴＩラボ（登録商標）およびデイドベーリングＢＥＰ（登録商標）２０００）。それにより完全にエントレインメントがなくなる。
【００１５】
全く異なる形態の汚染は、サンプル物質が取り込まれた後、永久的なチップまたは交換可能なチップの外壁に存在して、空または満たされた反応容器の上をピペッター（分注ユニット）が移動する時に垂れることがある検体含有サンプル物質により引き起こされる。これは上記のキャリー・オーバー効果に関して得られるものと同様の誤った陽性結果をもたらす。しかしながら、対照的に、この場合は特定のポジションでの組織的な集中発生は認められない。
【００１６】
最先端の技術では、有効な対応策は、このような液垂れが高濃度の色素溶液を分注する実験的作業において光学的にもはや検出されない場合に実行されたとみなされる。これは典型的に幾つかのポジションで、または理想的には考えられるすべての反応容器の位置（マイクロタイタープレートのウェルを反応容器として使用する場合、全プレートおよびマイクロタイタープレートの全ポジション）で多数の分注作業により行なわれる。
【００１７】
現在、外面に付着するサンプル物質を取り除くために、吸収紙を使用してピペットのチップを突き通すことにより（ハミルトンマイクロラボＡＴプラス（登録商標））、またはピペッターの滞留時間をプログラミングすることにより（デイドベーリングＢＥＰ（登録商標）２０００）、そして／またはピペッターユニットの機械的な動きの速度を調節することにより（ＴｅｃａｎＤＩＴＩ２００ＡＣ／Ｃ（登録商標））改善されている。
【００１８】
最後に、チップをサンプル物質中に浅い深さまで浸漬することのみを確実にするために（超音波により、または容量性で）液体検出法を使用することもできる。僅か十分の数ミリメートルの浸漬深さで、有効にチップの外側に存在する液体残留物のキャリー・オーバーを減少させる（例えばキャンベラパッカードマルチプローブ（登録商標）システム）。
【００１９】
当業者に知られているこれらの効果および考えられる対応策にも関わらず、まだ従来技術通りで時々誤った陽性反応が起こることがあり、これらの反応は全く異なる効果によりもたらされる：永久的な針を使用する場合でも交換可能なチップを使用する場合でも、検体含有サンプル物質は隣接する反応容器中にこぼれたり、かかったりすることがある。
【００２０】
スピル・オーバー効果と呼ばれるこのような効果は、反応容器の配置および／または使い捨て製品としての交換可能なチップに際立った違いがある場合に時々生じる：ピペッターユニットの特定の送出特性によりサンプルジェットが不適切に物理的に送出されると、小滴が指定された反応ウェルから隣接する反応容器に“こぼれる”ことがある。この効果は典型的に検体含有サンプルが位置する周辺の環境に限定され；キャリー・オーバーとは対照的に、影響を受けるのは円形配置で直接物理的に隣接する反応容器だけであり、順々に／物理的に続く位置ではない。
【００２１】
エンザイグノスト（登録商標）試験（デイドベーリングＥＬＩＳＡシステム）を、ＥＬＩＳＡプロセシングのために完全に自動化された機械として Ｓｔｒａｔｅｃ， Ｂｉｒｋｅｎｆｅｌｄ により開発されたＢＥＰ（登録商標）２０００システム（ハードウエアおよびソフトウエア、制御ソフトウエアを含む）に適合させた。
【００２２】
図１に示されたＢＥＰ（登録商標）２０００はＳｔｒａｔｅｃ社により開発された機械であり、とりわけＥＬＩＳＡの各工程をすべて処理するために完全に自動化されている。
図１および２から明らかなように、ｙ面上で移動することができ、ｘおよびｚ方向に移動可能なピペッターユニット（ＰＵ）を有するロボットアーム（ＲＡ）は、最初に３００μｌまたは１１００μｌの交換可能なチップ（ＥＴ）をそれらの貯蔵庫（Ｓ）から取り出す。次に、ＲＡは第１試験管（Ｐ）に近づき、あるアリコート量のサンプルを１個の試験管から分取し、静電容量測定法を使用して液面を検出し、サンプル物質への浸漬が非常に表面的にのみ起こる。
希釈していない量のサンプルを扱う試験の場合、そのアリコートは図示した被覆マイクロタイタープレート（ＣＭＴＰ）に直接分注される。
【００２３】
図３は、（上記の）被覆マイクロタイタープレート領域のＢＥＰ２０００の作業面への下向きの線図を示す。被覆プレートはポジションＡ〜Ｄの上に存在し、ピペッターユニットによりＡ、Ｂ、ＣおよびＤの順序でサンプルをロードする。その後、廃液ステーション（ＬＷＳ）が近づいて過剰に取り込んだサンプル量を放出する。“過浸漬”とも呼ばれるこの過剰は、試験に実質的に必要なサンプル量を正確に分注するために必要である。液体を放出した後、排出ポジション（ＤＰ）が近づいて使い捨てチップを排出し、新しいチップを取り出して再び次のサンプルを分注する。
【００２４】
予め希釈したサンプル物質を扱う試験の場合、ＲＡはサンプルアリコートを取り込む前に図２に示された試薬貯蔵庫（ＲＳ）の上を移動して最初に所定量のサンプル希釈緩衝液を取り込む。予備希釈ポジション（ＰＤＰ）が近づいた後、両方の溶液を非被覆容器（マイクロタイタープレートまたは小試験管）に送出し、そこからＣＭＴＰに分注し、その後希釈していないサンプルの処理工程で説明したような工程が続く。
【００２５】
ソフトウエアにより明確にされたすべてのサンプルを図３に示されたポジションに意図して設置されたＣＭＴＰに上記の順序で分注した場合、サンプル物質をロードしたＣＭＴＰは最初のインキュベーションのために、そのために設置されたインキュベーション室にメカニカル・トランスポーター（リフト）を使用して入れられる。インキュベーション室はサンプルより下にある作業レベルおよび／または機器の分注レベルに位置し、その温度を制御することができるユニットまたは周囲温度（室温）の部屋からなる。
【００２６】
ＣＭＴＰから過剰のサンプルまたは試薬液を除去するための洗浄装置、および検査結果を測定するための測定装置（光度計など）は空間的に近接して位置する。
ハードウエアおよびソフトウエアに関して、ＢＥＰ（登録商標）２０００システムは下記の本発明の方法に影響を与えない幾つかの重要でない改良は別として、様々な商標名で商品化され、 ＤｉａＳｏｒｉｎ ＥＴＩＭａｘ ３０００（登録商標）のような一般名でＳｔｒａｔｅｃ社により開発されたシステムを販売している他の供給業者に属するシステムと同一の構成である。
【００２７】
Ｓｔｒａｔｅｃ社は、慣用の色素溶液を使用する分注実験により、または一般のエンザイグノスト（登録商標）試験法により、上記の組織的な干渉の１つを測定できないように、最先端の技術による相当するハードウエアの構成および制御ソフトウエアを共に最適化した。
【００２８】
エンザイグノスト（登録商標）試験はマイクロタイタープレートフォーマットで特に抗原または抗体を検出するためのＥＬＩＳＡ法であり、その基本的な試験原理は多様であり、当業者に知られている。
【００２９】
例えば、免疫グロブリンクラスＧ（ＩｇＧ）に属する風疹−特異的抗体のような慣用の抗体定量法の場合、マイクロタイタープレートのウェル（反応容器またはウェル）の内面は、その活性表面が相当する抗原（この場合は風疹ウイルス抗原）で吸収的に被覆される。
【００３０】
使用者（または自動機械）は、定量するサンプルをサンプル緩衝液で１：２１に予備希釈し、それらをそれぞれウェルに入れ、さらに１：１１の希釈を行なう（最終希釈度１：２３１）。サンプル物質中に特定の抗体（抗風疹ウイルスＩｇＧ）が存在する場合、それらは固定化抗原と結合する（免疫複合体生成：サンプル中の抗風疹ウイルスＩｇＧ／固相上の風疹ウイルス抗原）。１時間のインキュベーション（３７℃）後、過剰の抗体を含有する希釈したサンプルを繰り返しの洗浄工程により除去し、固相−結合免疫複合体をコンジュゲートと呼ばれるものと一緒にインキュベート（３７℃で１時間）する。
【００３１】
このコンジュゲートは、ホースラディッシュペルオキシダーゼ（ＰＯＤ）と共有結合した（ウサギに免疫性を与えることにより産生する）抗ヒトＩｇＧである（抗ヒトＩｇＧ／ＰＯＤコンジュゲート）。このコンジュゲートが、固相−結合免疫複合体と結合した後、過剰のコンジュゲートを数回の洗浄サイクルにより除去し、インキュベーションを色原体／緩衝基質溶液と一緒に行なう。これは無色のテトラメチルベンジジンの溶液であり、ＰＯＤは過酸化水素（基質）を使用すると青色の溶液に変わる。
【００３２】
室温で３０分間のインキュベーション後、反応を停止溶液（硫酸）で停止し、色の強度（吸光度）を光度計で測定する。
風疹ウイルス特異的抗体の色の強度と濃度には比例関係があり、検体を含まないサンプルを含有する反応容器は臨床試験で無色のままであるか、またはそれぞれの試験で測定されるカットオフ値より低い吸光度を与える。
特定のＭクラス抗体も同じ固相を使用して同様に（例えばエンザイグノスト抗風疹ウイルス／ＩｇＭにより）定量され、そのサンプル希釈度は１：４２だけであり、コンジュゲートはＩｇＭ特異的である（抗ヒトＩｇＭ／ＰＯＤコンジュゲート）。その他は、定量は上記の通り行なわれる。
【００３３】
次のエンザイグノスト（登録商標）試験はヒト抗原特異的ＩｇＧを定量する試験原理に基づいており、その試験原理はエンザイグノスト（登録商標）抗風疹ウイルス／ＩｇＧ：エンザイグノスト（登録商標）抗−ＣＭＶ／ＩｇＧ、抗−ＥＢＶ／ＩｇＧ、抗−ＨＳＶ／ＩｇＧ、抗−ＶＺＶ／ＩｇＧ、抗麻疹ウイルス／ＩｇＧおよび抗ムンプスウイルス／ＩｇＧのような構成である。
これらの試験をＢＥＰ（登録商標）２０００で自動的に処理した時、誤った陽性反応を示すサンプル物質に汚染はまったく存在しなかった。
しかしながら、驚くべきことに、高感度のエンザイグノスト（登録商標）試験（例えば抗ＨＩＶおよびＨｂｓＡｇ）をＢＥＰ（登録商標）２０００で処理した場合、それにもかかわらず干渉様式で汚染が発生したことが観察された。
【００３４】
前記エンザイグノスト（登録商標）試験とここで検討される高感度のエンザイグノスト（登録商標）試験の違いは次の通りである：
・１００μｌの希釈していないヒトサンプル物質をロードするが、サンプル希釈液は加えない；
・調査対象の検体は自然発生し、ヒト血清または血漿中に非常に高い濃度で存在する。
例えばエンザイグノスト（登録商標）ＨＢｓＡｇ５．０は、マイクロタイタープレートが（ヒツジに免疫性を与えることにより産生する）ＨＢｓＡＧ特異的抗体で被覆される抗原検出法である。
【００３５】
サンプル中のＨＢｓＡｇは、マウスで発生するモノクロナールＨＢｓＡｇ特異的抗体（３７℃で６０分間のワンステップ法／抗体サンドイッチ法またはイムノメトリック試験原理）からなるコンジュゲート１と同時に反応容器中でインキュベートされ、固相上の捕捉抗体は、ＨＢｓＡｇ／抗ＨＢｓＡｇ抗体複合体と結合するか、または最初に遊離ＨｂｓＡｇを結合し、次いでこれにコンジュゲートが結合することで結果的に免疫複合体としてこれを固相に結合する。
【００３６】
上記のエンザイグノスト（登録商標）抗風疹ウイルス／ＩｇＧおよびＩｇＭ試験と対照的に、コンジュゲートのマーカーはＰＯＤではなくビオチンであり、これはビタミンであって酵素ではない。バックグラウンドは感度を高めるための特殊な増幅システムである。最先端の技術に従って、過剰のコンジュゲートを洗い流した後、さらにコンジュゲート２と一緒に（３７℃で３０分間）インキュベートすることにより、ビオチンのタンパク質ストレプトアビジンに対する非常に高い親和性が利用される。コンジュゲート２はＰＯＤを共有結合するストレプトアビジンからなる。
最後の着色、反応の停止、光度定量および吸光度の評価は、間接試験について記載した方法と同様にして行なわれる。
【００３７】
コンジュゲート１およびコンジュゲート２の両方がカーボネート骨格として複数の結合パートナーを含有するという事実は、ビオチンおよびストレプトアビジンの高強度の結合と共に二重増幅機構をもたらし、ＨＢｓＡｇの検出限界は慣用の方法より少なくとも５倍だけ良くなる。
エンザイグノスト（登録商標）ＨＩＶインテグラルはＨＩＶ特異的抗体（抗ＨＩＶ）および ＨＩＶ抗原（ｐ２４ 抗原）の複合検出法であり、両方の検体ともビオチン／ストレプトアビジンを使用して定量される。
【００３８】
マイクロタイタープレートは免疫学的に関連したＨＩＶ１、ＨＩＶ２およびＨＩＶ０タンパク質で被覆され、これに最初のインキュベーション（３７℃で３０分間）でサンプル中に存在する抗体（抗ＨＩＶ）が結合する。過剰のサンプル（抗体）を数回の洗浄サイクルにより除去した後、ビオチンと同時にカーボネート骨格に結合した（抗原サンドイッチ法またはイムノメトリック試験法） ＨＩＶ抗原（ＨＩＶ１、２および０）を含有するコンジュゲート１を加える。
【００３９】
ＨＩＶタンパク質の他に、固相はウサギに免疫性を与えることにより産生したポリクローナルＨＩＶ ｐ２４特異的抗体を含有する。ＨＩＶ ｐ２４がサンプル中に存在する場合、これは上記のインキュベーションで結合し、コンジュゲート１と一緒に検出され、これはマウスで産生され、かつカーボネートに結合している２個のモノクローナルｐ２４特異的抗体をさらに含有する。
【００４０】
さらに３０分間のインキュベーション（３７℃）および洗浄作業の後、エンザイグノスト（登録商標）ＨＢｓＡｇ５．０の場合のように、ストレプトアビジンおよびペルオキシダーゼ（両方の成分ともカーボネート骨格に共有結合される）からなるコンジュゲート２を加える。
その後のインキュベーション、洗浄、着色、反応停止および光度分析の工程は、エンザイグノスト（登録商標）ＨＢｓＡｇ５．０の場合と同様にして行なわれる。
【００４１】
また、エンザイグノスト（登録商標）ＨＩＶインテグラルを使用して抗ＨＩＶおよびｐ２４を定量する場合、臨床試験の状況内で試験の感度を従来の定量法と比べて４倍より大きく改善することができることを証明できた。
これらのエンザイグノスト（登録商標）試験は共に、このような試験における需要が着実に高まっていることを踏まえて１９９８〜１９９９年に開発および市販された。
【００４２】
一方でＨＢｓＡｇおよびＨＩＶ定量法の感度は、診断上の信頼性および献血に関する信頼性という意味の範囲内で最大であるべきであり、他方で誤った陽性反応という意味で干渉はできるだけ最小であるべきである。
感度の程度は、非常に早い感染段階（特定の検体、すなわち抗原または抗体を最初に検出することができる感染後の最も早い時期として与えられる）のサンプルを定量することによる明確なサンプルグループ（％で与えられる）を試験することにより、また検体を含有するサンプル物質の連続希釈液（まだ陽性であると判断される希釈工程で与えられる）を試験することにより定義される。
【００４３】
反対に、陰性の、検体を含まないサンプルの場合の信頼性は特異度と呼ばれるものにより説明され、これは百分率で表され、どれぐらいの陰性サンプルが実際に正しく陰性であると判断されたかを示すものであり、その場合は１度試験した後（初期値）または最初に反応性を示したサンプルを繰り返して試験した後（再試験値）のいずれかで判断される。
【００４４】
現在使用されている現代的なＨＢｓＡｇおよび抗ＨＩＶ定量法は、＞９９．９８％の感度を示し、典型的な特異度は＞９９．３％（初期）および＞９９．７％（再試験）により表される。これらのデータは製造業者に依存し、Ｃ型肝炎特異的抗体（抗ＨＣＶ）または梅毒トレポネーマ特異的抗体（抗梅毒トレポネーマ）のような他の検体にも関係があり、実際には機器の性能とは無関係に得られる。
【００４５】
驚くべきことに、ＢＥＰ（登録商標）２０００システムで観察された汚染は、たとえ既知方法の使用により以前から知られている汚染、特に交換可能なチップに関するキャリー・オーバー効果を阻止することができるとしても、９２％〜９４％の初期値かなおも達成できないほどエンザイグノスト（登録商標）ＨＩＶインテグラルおよびエンザイグノスト（登録商標）ＨＢｓＡｇ ５．０の特異性に影響を与えていた（実施例３、さらに表１および２を参照）。
【００４６】
社内で開発されたモデルシステムを用いて、誤った陽性反応が検体を含有するサンプルを分注する作業に関連して、また分注ユニットの機械的な動きに関連して生成する約０．１〜１ｎｌ（約１：１０６の希釈に相当する）程度の非常に小さなしぶきの生成により引き起こされることがわかった。
さらに、低感度の試験もまた、生物学的な理由により、関係している検体が極めて高い濃度で存在する場合に影響を受けることがわかった。この例はＡ型肝炎ウイルス抗原に対する抗体（抗ＨＩＶ）およびＢ型肝炎ウイルス抗原に対する抗体（抗ＨＢｓ）の定量法である。
【００４７】
その上、モデルはまた、高感度の試験で干渉の原因となる上記程度の非常に小さなしぶき（目に見えない小滴）が、過剰のサンプル物質を放出する時や交換可能なチップを捨てる時にも同様に生成することを証明するために使用された。
したがって、全体として、多数のパラメーターが免疫化学的定量法の特定の構成とは無関係に、そしてＢＥＰ（登録商標）２０００機器と同様に作動する（例えばＤｉａＳｏｒｉｎ ＥＴＩラボ（登録商標））、またはハードウエアおよびシステム制御面に関してこの機器とまさに同様に構成される（例えばＤｉａＳｏｒｉｎ ＥＴＩマックス３０００（登録商標））サンプルディスペンサーまたはサンプルディスペンサーモジュールを用いて予想される干渉により影響を受ける。
【００４８】
開示されているＥＬＩＳＡ法とは別に、このような影響は、周知のように最少量の汚染でさえ測定することができる組み換えＤＮＡ増幅法のような非常に高い精度および感度に合わせて設計された方法に関して特に面倒な問題になることがわかる。
【００４９】
本発明はその程度が以前は知られていなかったこれらの新しい干渉を組織的に説明し、特に高感度の試験がサンプル物質の汚染の結果として誤った陽性反応または誤って高すぎる陽性反応を示すという意味で阻害されないことを確実にするための方法を開発する目的に基づいたものである。
今般、驚くべきことに、ＢＥＰ（登録商標）２０００システムのピペッターユニットの固有値の数を決めることにより、分注作業中のしぶき生成を有意に減少または防止することができることを見出した。
【００５０】
さらに、以前は知られていない、過剰量のサンプルを放出する時に生じるしぶきにより試験結果の正確さに影響を与えるネガティブ効果は、廃液ステーションと被覆マイクロタイタープレートポジションの間に機械的保護装置を設置することにより効果的に抑制することができることを見出した。
【００５１】
本発明は後で詳細に説明される、効果を迅速に視覚化および最適化する方法およびこのような汚染をピペッターユニットの制御ソフトウエアにより選択的に防止する方法に関する。本発明はまた、廃液ステーションのハードウエア修正または変更に関し、これは例えば微小のしぶきとしての汚染を効果的に防止するスクリーンの形態で可能である。
【００５２】
したがって、本発明は自動サンプルディスペンサーを使用してサンプルまたは試薬を分注する間の互いに空間的に近い場所にある反応容器の配置内で空の反応容器、あるいは検体を含まないサンプル物質または低濃度の検体を含有するサンプル物質をすでに入れた反応容器の汚染を減少させる方法であって、酵素／基質色素試験を使用して最初にモデルＡにより汚染の程度を確定し：すなわち
ａ） 酵素溶液を前記空間的配置の構成領域の反応容器に加え、一方残りの反応容器は適当な色原体／基質試薬を含有する吸収性層状物質で被覆され、呈色反応がその酵素との接触により誘導され、
ｂ） 着色された被覆反応容器の数、強度および／または分布を測定し、次に着色された反応容器の数または強度が減少されるように液体の取り込み（吸引プロファイル）および液体の放出（分配プロファイル）を変更することからなる前記方法に関する。
【００５３】
さらに、本発明は自動サンプルディスペンサーを使用してサンプルまたは試薬を分注する間の互いに空間的に近い場所にある反応容器の配置内で空の反応容器、あるいは検体を含まないサンプル物質または低濃度の検体を含有するサンプル物質をすでに入れた反応容器の汚染を減少させる方法であって、酵素／色素試験を使用して最初にモデルＢにより汚染の程度を確認し：すなわち
ａ） 酵素溶液を前記空間的配置の構成領域の反応容器に加え、
ｂ） 酵素との接触により呈色反応を誘導する適当な色原体／基質試薬を前記空間的配置の残りの構成領域の反応容器に加え、
ｃ） 反応容器の着色を測定することにより起こりうる汚染を確認し；
次に着色された反応容器の数または強度が減少されるように液体の取り込み（吸引プロファイル）および液体の放出（分配プロファイル）を変更することからなる前記方法に関する。
【００５４】
本発明の方法において、反応容器はマイクロタイタープレートのウェルであってよい。本発明は、特に
ａ）自動サンプルディスペンサーはＢＥＰ２０００または本質的にＢＥＰ２０００と同様に構成された全自動機械の一部であり；
ｂ） 互いに空間的に近い場所にある反応容器の配置は、図３に示されるような配列：ポジションＡ、ポジションＢ、ポジションＣおよびポジションＤの４個のマイクロタイタープレートの水平面上にある線形配置からなり；
ｃ） 廃液ステーション（ＬＷＳ）はポジションＤからポジションＡまでの想像線のほぼ延長部でポジションＡにとても近接して位置し；
ｄ） 酵素溶液はポジションＡ〜Ｄのマイクロタイタープレートの構成領域に加えられ；そして
ｅ） 起こりうる汚染の決定は特に廃液ステーション（ＬＷＳ）から発生する汚染を含む方法に関する。
【００５５】
本発明はまた、上記方法の変法であって、廃液ステーション（ＬＷＳ）は上部カバーリングにより被覆され、このカバーリングに存在する開口部は一方で廃液ステーション（ＬＷＳ）からのしぶきに対して最適な保護手段となるようにできるだけ小さく作られており、他方でこれに関連して液体が間違って開口部の端に接触しないように過剰量のサンプルをこの開口部を通して廃液ステーション（ＬＷＳ）に再生可能に放出することができる前記方法を包含する。
【００５６】
廃液ステーション（ＬＷＳ）はまた、有利には上部の容器壁がカバーリングに相当するように最初から構成されていてもよく、これはそれが提供する機能を維持しながら別個のカバーリングを省くことができることを意味する。
さらに有利には、廃液ステーション（ＬＷＳ）が廃液ステーションと被覆マイクロタイタープレートポジションの間に機械的保護装置を設置することにより分離される場合、それにより汚染が防止される。
【００５７】
本発明はまた、上記の本発明の方法の何れかに使用するのに適した廃液ステーションに関し、それは上部カバーリングにより被覆され、その中に存在する開口部は一方で廃液ステーションからのしぶきに対して最適な保護手段となるようにできるだけ小さく、他方でこれに関連して、液体が間違って開口部の端に接触しないように過剰量のサンプルをこの開口部を通して廃液ステーションに再生可能に放出することができる。廃液ステーションはまた、有利には上部の容器壁がカバーリングに相当するように最初から構成されていてもよく、これはそれが提供する機能を維持しながら別個のカバーリングを省くことができることを意味する。
【００５８】
上記の本発明の各個々の方法および本発明の各被覆廃液ステーションは本質的に汚染を回避するのに寄与する。理想としては、幾つかのまたはすべての本発明の方法は可能な限り本発明の被覆廃液ステーションと組み合せて使用されるが、本発明はこのような組み合わせ使用に限定されない。
【００５９】
最先端の技術に従って、サンプルディスペンサーのソフトウエアは、液体の取り込みおよび放出の速度のような重要な固有値のプログラミングを可能にするように設計される。これは、調査する物質の特性（例えば粘度）にこれらの特徴を適合させる必要があるため極めて重要であると考えられる（Ａ． Ｆｒｉｔｔｒａｎｇ の Ｌａｂｏｒｐｒａｘｉｓ ［検査実習］， １９９６年１２月）。しかしながら、精密シリンジ（ダイリューターと呼ばれるもの）または針の直径の最適化のように、これらの適合は一般に分注する容量の精度および正確度を最適化することに関してだけ行なわれる。プログラミングそのものは全システムに属するファームウエアモジュールまたは制御ソフトウエアにより実行することができ、さらにユーザーはオペレーショナルソフトウエアのコンポーネントとして入手することができる。
【００６０】
文献記載の別の例は液体の取り扱いに関してＴｅｃａｎ社により与えられた指示である：ＤＩＴＩ ２００ ＡＣ／Ｃの液体処理マニュアル（書類番号３９０５４８）；オプションＤＩＴＩ ２００ ＡＣ／Ｃ（書類番号３９０５４２）；１９９９年９月付のジェミニソフトウエアマニュアル番号３９ １３５４， Ｖ３．１０ （マニュアル番号３９１３５４， Ｖ３．１０）。これらのマニュアルにおいて、Ｗ． Ｗａｇｎｅｒの「フロー技術および圧力損失計算」；Ｖｏｇｅｌ Ｂｕｃｈｖｅｒｌａｇのような関係のあるテキストと同様に、取り込みおよび放出パラメーターの変更が、所定のサンプル物質の粘度に対し特に注意を払いながら分注する工程の精度および正確度に関連して記載されている。しかしながら、これに関する最適化インストラクションまたは考えられるエラー原因の相当するリスト（トラブルシューティングガイドと呼ばれるもの）において、非常に少ない量のサンプルによる汚染を検出または回避するための特別な指示はない。
【００６１】
ＤＩＴＩ ２００ ＡＣ／Ｃの液体処理マニュアル（上記参照）の指示だけが、チップの出口におけるはっきりと目に見える液滴の生成に触れており、これはナノリットルスケールの非常に小さいしぶき（“微小のしぶき”）を回避するための選択的手段よりもむしろ技術上の欠点または間違ってプログラム化された機能について、どちらかと言えば説明している。
殆んどの分注ロボットと同様に、ＢＥＰ ２０００の場合もサンプルの取り込みおよび放出の物理的固有値を変えるために“システムセットアップ”と呼ばれるソフトウエア設定を変えることができる。
【００６２】
サンプルの取り込み（吸引プロファイル、図５参照）の場合、本発明の意味の範囲内で選択的に変更されたこのような設定の例は次の通りである：
・“開始速度”、これはサンプルの取り込みの初期速度を意味する；
・“最高速度”、これは達成されたサンプルの取り込みの最大速度を意味する；
・“ダイブアウト（Ｄｉｖｅ ｏｕｔ）速度”、これはサンプルの取り込み後にチップが液体から移動する速度を意味する。
【００６３】
サンプルの放出（“分配プロファイル”、図５参照）の場合、本発明の意味の範囲内で選択的に変更されたこのような設定の例は次の通りである：
・“開始速度”、これはサンプルの放出の初期速度を意味する；
・“最高速度”、これは達成されたサンプルの放出の最大速度を意味する；
・“促進”、これはサンプルの放出の促進を意味する；
・“カットオフ速度”、これはサンプルの放出が終了した時の促進速度（作業が終了した時のカットアウト速度）を意味する；
・“ダイブアウト速度”、これはサンプルの放出後にチップが液体から移動する速度を意味する。
【００６４】
Ｓｔｒａｔｅｃ社は適当な基準を満たすように、冒頭で述べた汚染効果を考慮しながら最先端の技術に従って上記パラメーターのすべてを最適化した。このようにしてＳｔｒａｔｅｃ社が考案した最終配置は図５に示される設定に相当する。
【００６５】
図５に示されるこれらのプロファイル設定を、例えばエンザイグノスト（登録商標）抗ＨＢｃモノクロナール、エンザイグノスト（登録商標）抗ＨＢｃ／ＩｇＭ、エンザイグノスト（登録商標）抗ＨＡＶ／ＩｇＭ、エンザイグノスト（登録商標）ＨＢｅＡｇモノクロナール、エンザイグノスト（登録商標）抗ＣＭＶ／ＩｇＧ＋ＩｇＭ、エンザイグノスト（登録商標）抗ＣＭＶ／ＩｇＧ、エンザイグノスト（登録商標）抗ＣＭＶ／ＩｇＭ、エンザイグノスト（登録商標）抗風疹ウイルス／ＩｇＧ、エンザイグノスト（登録商標）抗風疹ウイルス／ＩｇＭ、エンザイグノスト（登録商標）抗ＨＳＶ／ＩｇＧ、エンザイグノスト（登録商標）抗ＨＳＶ／ ＩｇＭ、エンザイグノスト（登録商標）トキソプラズマ症 ／ＩｇＧ、エンザイグノスト（登録商標）トキソプラズマ症 ／ＩｇＭ、エンザイグノスト（登録商標）ボレリア症／ＩｇＧおよびエンザイグノスト（登録商標）ボレリア症／ＩｇＭのような試験システムの自動処理で試験し、免疫状態に従って陰性または陽性であるヒト試料のすべてについて良好な一致を示した。
【００６６】
試験において、１６個の反応性サンプル（Ａ１〜Ｈ２、図４も参照）およびそれぞれの検体に関して陰性であった３０個より多いヒトサンプルを同時にマイクロタイタープレートにロードし、上記の試験で検査した。
例として表３、４および５に示したトキソプラズマ症 ＩｇＧ、風疹ＩｇＧおよびＨＳＶ  ＩｇＧについての測定結果（吸光度単位）から、サンプルの混合ローディングに関してでさえ、これらの方法で起こりうるどのような汚染もまったく検出できないことが明らかである。一方で調査する検体を非常に高い濃度で含有するサンプル、他方で検体を含まないサンプルを同じ試験プレートにロードした。
【００６７】
しかしながら、サンプル物質の交雑汚染による有意な干渉が、驚くべきことにエンザイグノスト（登録商標）ＨＢｓＡｇ５．０およびエンザイグノスト（登録商標）ＨＩＶインテグラを使用して、検体を含有するサンプルおよび検体を含まないサンプルの混合分注を行なった時に、図５に示されるピペッタープロファイル（最先端の技術）で検出された。処理は被覆マイクロタイタープレートの主要な場所のＡポジション（これに関しては図３も参照）で行なわれた。
【００６８】
表１および２に示した（抗ＨＩＶおよびＨＢｓＡｇ定量の）測定結果から明らかなように、一個の試験プレートにつき平均して４〜６の誤った陽性結果が存在する（例えば表１のマイクロタイタープレートポジションＡ１、Ｆ５、Ｆ７およびＡ８で）。全数が約６０個の検体を含まないサンプルに基づいて、この効果による特異性データは９２〜９４％であるが、その後のＢＥＰ ＩＩＩ（登録商標）（デードベーリング自動ＥＬＩＳＡ 処理装置）を使用する処理とともに並行して行なったサンプルの手動ローディングは、誤った陽性値をもたらさなかった。
【００６９】
実施例１に記載のモデルＡはＢＥＰ（登録商標）２０００ピペッターの放出設定を最適化するために開発された。このモデルＡは、１００μｌの高濃度の酵素溶液（０．２５ｍｇのペルオキシダーゼ／ｍｌ）をピペッターにより空の非被覆マイクロタイタープレートの５〜８列にロードする非常に高感度の酵素／色素試験である（これに関しては図４も参照）。対応する１〜４列および９〜１２列を色原体／バッファー基質溶液に浸漬した（固体のプラスチック担体により支持された）ろ紙で被覆した。使用液をパック封入物に従って調製し、実施例１に記載した。
【００７０】
基質を（例えば粘度特性に関する結果の適用性のために）より比較できるものにするために、健康な献血者からの血清を希釈媒質として選択した。
驚くべきことに、この単純モデルを使用すると、いろいろな大きさのしぶきが非常に多く発生することがわかった（図６）。
この方法の信頼できる検出限界の定量は、約０．２５ｎｇのＰＯＤ／ｍｌの値を与え、これは１：１０５より幾分大きい希釈度または１．０ｎｌ程度の小滴生成に相当する。結果として、この方法を使用して、小滴として目に見える限界を超えて存在するにも関わらず高感度の検出法を干渉する汚染を可視化することができる。
【００７１】
このモデル（モデルＡ）を使用して行なった最適化は図７に要約される分配プロファイルの配置および確認された改良につながり、それは図８に示される。
エンザイグノスト（登録商標）ＨＢｓＡｇ５．０を使用する測定法により、汚染の発生を最小限にすることも成功したが、それらを完全に除去することはできなかった。
分注作業中に生じるエアロゾルは１つの原因となるが、他の影響量もまた活性であるということを前提として、他のシステム、すなわちモデルＢ（実施例２を参照）が開発され、そのシステムは非常に小さいしぶきの出現部位をより明確にすることができることを意図している。
【００７２】
このために、１００μｌの濃縮ＰＯＤ溶液をＢＥＰ（登録商標）２０００機器を使用してＣポジションのマイクロタイタープレート上の１〜４列にロードし（これに関しては図３および図４も参照）、また色原体／バッファー基質溶液を５〜１２列にロードした。ポジションＢおよびＡのプレートの全ストリップに色原体／バッファー基質溶液だけをロードし；３０分後に反応を停止し、すべてのポジションの吸光度を光度計により測定した。
この方法の信頼できる検出限界の定量は、２５ｐｇのＰＯＤ／ｍｌの値を与え、これは約１：１０７の希釈度または０．０１ｎｌ程度の小滴生成に相当する。
したがって、モデルＢは実質的にモデルＡより感度が高いことがわかり、最先端技術から知られている感度限界を超えた汚染の高感度検出を可能にする（実施例２を参照）。
【００７３】
（最先端技術に従って）標準プロファイル設定下でＣポジションのプレートの他にＢポジションおよびＡポジションのプレートもまた強く汚染の影響を受けたことは驚くべき結果であった（表６、７および８）。ＣポジションはモデルＡを使用した入れ換え作業に起因した“エアロゾル”として説明できるが、ＢおよびＡのプレートの汚染に関してはしぶきがこのような広い間隔で飛び散るとは考えられないため、他の影響量が活性であるに違いない。
【００７４】
吸い込み（吸引）および放出（分配）機能のすべての変数を個々に実験的に変え、これから得られる結果をモデルＡまたはモデルＢ（または両方）で試験した。１８および１９頁に記載の各変数を汚染効果に関して組織的に最適化する反復法を使用した。成功したモデル結果は自動的に上記エンザイグノスト（登録商標）試験を処理するＢＥＰ（登録商標）２０００を使用することにより証明された。
分配機能のプロファイル設定を最適化しながら（図７）、モデルＢを使用してこの想定：Ｃの汚染は著しく減少させるが、ＡおよびＢの交雑汚染はまだ残る（表９、１０および１１）ことを確認した。
【００７５】
チップの外側がぬれていてピペッターがマイクロタイタープレートの上を移動する時に液体が垂れる可能性は、交換可能なチップが静電容量測定システムにより液体の表面を検出し、結果としてサンプリングのために、僅かにサンプル液の中に入るだけなので、ありそうにないと思われた。
【００７６】
まったく予想外に、モデルＢの使用は、ＢＥＰ ２０００分注ユニットを運ぶ作業中の非常に少ない量のサンプル（０．０１〜０．５ｎｌ程度）の損失の効果を明らかにした；これは吸い込み期に適当なプロファイル（図９の吸引プロファイル）を使用して効果的に抑制することができ、表１２を見てわかるようにプレートポジションＢにおけるモデルＢの汚染効果は減少した。
【００７７】
モデルＢにおいて、最適化した吸引プロファイルを最適化した分配プロファイルと一緒に使用すると（図７および９）、表１３〜１５に示される汚染効果の典型的な改善が達成される。しかしながら、これらの表からプレートポジションＡで汚染がなおも生じることもまた明らかであり、これらの汚染は下方の列に密集している（表１３）。
【００７８】
同時に最適化した吸引および分配プロファイルを使用しながら廃液ステーション（図３のポジションＬＷＳ）をカバーする試みをした時、驚くべきことに、ポジションＡ、ＢおよびＣのプレートはまったく汚染されていないことがわかった。
このことから、過剰に取り込まれた（過浸漬）量のサンプルが廃液ステーションに放出される時にしぶきが発生することは確かであり、これらのしぶきが観察された汚染をもたらす。過浸漬は反応容器へのサンプルの信頼できる正確な分注を確実にするために不可欠であるため、図１０に示したようなカバーが開発された。
【００７９】
冒頭で述べた、また標準プロファイル設定およびエンザイグノスト（登録商標）ＨＢｓＡｇで観察されたプレートポジションＡの汚染は要約すると、モデルＢの説明を使用して、説明可能な３つの異なるしぶきの原因に帰することができ、そして位置および原因の両方に関して互いに独立して改善することができる（括弧内はその手段）：
・サンプルを分注する作業によるしぶき（分配プロファイルを最適化する）；
・ピペッターに伴なうテーリング／ドリッピング効果によるしぶき（吸引プロファイルを最適化する）；および
・過剰量のサンプルの放出によるしぶき（例えばカバーリングにより廃液ステーションに機械的に仕切りをする）。
【００８０】
これらの手段はそれぞれ汚染効果を改善するのに寄与することがわかる。しかしながら、汚染効果はすべての手段が講じられた時にだけ完全に減少され、図１１に示されるようなモデルＡの画像が得られる。
上記手段の有効性は、相当する結果と同様に、エンザイグノスト（登録商標）ＨＢｓＡｇ５．０（表１６）およびエンザイグノスト（登録商標）ＨＩＶインテグラル（表１７）を使用した場合のポジションＡで試験された表中のプレートにより証明することができる。
【００８１】
表１８に示されるマイクロタイタープレートのストリップ４の目に見える着色は、非常にまれに起こる、最初に述べたスピル・オーバー効果の表れである。モデルＢのＥＬＩＳＡ法への適用を、実施例３に記載のようにしてＴｅｃａｎ ＲＳＰ １５０（登録商標）においてランダムにサンプルを採取して行なった（その後デードベーリングＢＥＰ（登録商標）ＩＩＩを使用するエンザイグノスト（登録商標）ＨＢｓＡｇ５．０ の自動処理が続く）時、このサンプルディスペンサーは驚くほどの観察（表１９）を実行する前にＢＥＰ（登録商標）２０００と同じ効果を示すことがわかった。
【００８２】
これに加えて、表２０に示されるようなエンザイグノスト（登録商標）ＨＢｓＡｇ５．０ を使用する同一条件下で得られた結果から、この分注ロボットは汚染を測定できることがわかるが、それらは本発明の方法を実施した後にＢＥＰ（登録商標） ２０００の場合には起こらない何かを干渉としてもたらす。
したがって、驚くべきことに、分注ロボットまたはサンプルディスペンサーモジュールにより引き起こされる、以前は容認されていた汚染効果が、面倒な、実際に誤解を招くまではないにしても現代の高感度の検出法を使用した場合に誤った解釈をもたらす程に、個々の診断検出法の感度はごく最近高くなったことを証明することもできた。
【００８３】
２つのエンザイグノスト（登録商標）試験の他に、汚染は低感度の定量法、すなわちエンザイグノスト（登録商標）抗ＨＢｓ、抗ＨＩＶ （全Ｉｇ）および抗ＨＢｅ（表２１、２２および２３）の場合にも観察されたが、これらの汚染は頻度および特異性の両方に関してあまり目立たなかった。この場合、これらはそれに関して当業者が非常に高い濃度の検体が天然に存在することを知るパラメーターであるため、このことは最先端技術の検出限界が、信頼できる、汚染のない定量法を保証するのに十分ではないことを示唆している。また、これらの試験の場合、上記手段をすべて使用すると汚染効果を抑えることができることを証明できる。
【００８４】
最後に、以前は説明されていない廃液ステーション（ＬＷＳ）の汚染原因が確認され、それは別のエラー源として誤った結果をもたらすが、これは例えばその中に過剰量のサンプル（廃液）を入れるための開口部がある適当な蓋を設置することにより迅速かつ確実に機械的に防止することができる。
【００８５】
したがって、本発明は、廃液ステーション（ＬＷＳ）が上部カバーリングにより被覆され、カバーリングの中にある開口部が一方で廃液ステーション（ＬＷＳ）からのしぶきに対して最適な保護手段となり、他方で液体が間違って開口部の端に接触しないように過剰量のサンプルをこの開口部を通して廃液ステーション（ＬＷＳ）に再生可能に放出することができるよう、できるだけ小さくする方法に関する。
【００８６】
別法として、廃液ステーション（ＬＷＳ）は、上部の容器壁がその提供する機能を維持しながら別個のカバーリングを省くことができるように上記カバーリングに相当するように最初から構成することができる。
上記カバーリング、またはカバーリングのない廃液ステーションの相当する構成の代りに、またはそれに加えて、廃液ステーションと反応容器の領域（例えばマイクロタイタープレート）の間に分離する装置、例えば分割壁を設置することもできる。
【００８７】
本発明に従ってプロファイルを最適化するために取られた手段およびハードウエアに対する機械的補正は、ある特定の態様のサンプル分配ステーションを使用して導き出され、そのため同様に構成された装置に直接かつ直ちに適用することができる。
【００８８】
同様に設計された機器の場合、当業者はこれに関して要求されるプログラミングを違ったやり方で行なう必要があってもこれらの方法を利用することができる。したがって、他の名称の固有値が存在し、他の測定ユニットが設定を決定すること、および／またはプログラミングが他のソフトウエア階層（例えばファームウエア、制御ソフトウエア、または専用ＰＣのソフトウエアのオペレーティングシステムの構造として直接、および／またはシステムに固有のソフトウエア構造）で行なわれるか、またはその必要があることが予想される。すべての場合において、本発明の方法はその適用性を保持し、所定のシステムへの当業者に明白な類似の適応により使用することができる。
【００８９】
特に、当業者はモデルＡおよびＢとして迅速な実施、特にステンレス鋼の針または交換可能なチップを備えた４−チャンネルまたは８−チャンネルピペッターにおいて適当な変換および変更のために現存する汚染の最適化を全体として可能にする方法を使用することもできる。
【００９０】
廃液ステーションのカバーリングとして説明された蓋は、例えばそれを（構成要素の形態で）廃液ステーションに対する全溶液として設計および構成することにより、またはそれを幾何学的／物理的に異なって設計することにより、またはスクリーニングして汚染を防止するために、例えば分割壁を廃液ステーションとＣＭＴＰの間に設置することにより、もしくは他の構成により本発明の方法の意味の範囲内で完全に異なってそれを与えることにより変更することができる。
【００９１】
さらに、以前は十分に検討されていなかった領域（例えば廃液ステーション）が実質的に干渉する可能性を有するということを認識しながら、（分注排出ステーションのような）他の起こりうる干渉源に関して結論を出すことができる。
本発明はまた、下記の実施例および特許請求の範囲により説明されるが、記載した特定の態様に限定されない。
【００９２】
【実施例】
実施例１
サンプルディスペンサーから汚染を検出するためのモデルＡ
ＰＯＤストック溶液： ホースラディッシュペルオキシダーゼ（ＰＯＤ）を健康な献血者からの正常血清に０．２５ｍｇ／ｍｌの濃度で溶解して粘度および他の物理化学的特性に関して天然のサンプル物質に匹敵する分注用母液を調製する。
色原体／バッファー基質溶液：これはデードベーリング社により販売されている製品の“エンザイグノスト（登録商標） ／ＴＭＢ用補助試薬”（コード番号ＯＵＶＰ Ｇ１７）である。
溶液１  色原体ＴＭＢ：５ｇのテトラメチルベンジジン／水（Ｌ）；
溶液２  バッファー／ＴＭＢ基質：約０．１ｇの過酸化水素／酢酸ナトリウムバッファー（Ｌ）
１ｍｌの色原体ＴＭＢを試験キットを含有するプラスチックボトル中で１０ｍｌのバッファー／ＴＭＢ基質と混合する。使用液は暗所において＋２〜＋８℃で保存し、５日間まで使用することができる。
チップ：導電性の３００μｌおよび１１００μｌの交換可能なチップ（エッペンドルフ社製）。
【００９３】
モデルＡの実施：プラスチックフィルム（この場合は上記試験キットからのマイクロタイタープレート用接着フィルム）から約５×８ｃｍの大きさの 断片を切り取り、それらの上に同じ大きさに切り取った吸収紙（例えばＳｃｈｌｅｉｃｈｅｒ ＆ Ｓｃｈｕｌｌ社製）を置く。次に、その紙を約２ｍｌの色原体／バッファー基質使用液に浸漬する。
それぞれの場合において、このようにして作製した２枚の紙をプラスチック支持体上で非被覆マイクロタイタープレートのストリップ１〜４または９〜１２（図４も参照）をカバーするために使用する。
ＢＥＰ（登録商標）２０００分注ロボットを使用してそれぞれ１００μｌのＰＯＤストック溶液をむき出しのストリップ５〜８に分注し、その結果を１０分後の紙を写真に撮ることにより記録する。
発生する汚染は、その直径および色の純度が汚染の程度に正比例している青色の点状の汚れとして現れる。
ＰＯＤストック溶液の連続希釈を行ない、所定量の希釈ステップを色原体／バッファー基質に浸漬した吸収紙に適用することにより、１０分間のインキュベーションを行なって１：１０５（以上）の希釈度に相当する２．５ｎｇのＰＯＤ／ｍｌ未満の検出限界を定量することができた。
【００９４】
実施例２
汚染を検出するためのモデルＢ
物質：使用した溶液およびチップは例外なく実施例１に記載のものであり、検出感度を高めるために、３０分間このモデルで放置して色原体を発色させた。
さらに、モデルは光度計（停止後１時間以内の４５０ｎｍの測定波長および６５０ｎｍの参照波長における測定）を使用して色の純度を定量するため、３０分間のインキュベーション後に色素生成を停止するのに使用されるストック溶液（０．５Ｎ硫酸）を必要とする。
モデルＢの実施：３個の非被覆マイクロタイタープレートを図３に示されたようなポジションＡ、ＢおよびＣに配置する。最初に、ＡおよびＢポジションにあるプレートの全ウェルをそれぞれ１００μｌの色原体／バッファー基質使用液で完全に満たし、Ｃポジションにあるプレートのストリップ５〜１２も同様である（これに関しては図３を参照）。次に、分注ロボットは１００μｌの濃縮ＰＯＤ溶液だけをＣポジションにあるプレートのストリップ１〜４に分注し、全プレートをＢＥＰ（登録商標）２０００の室温チェンバーに移送する。３０分後、１００μｌの停止溶液を加えて反応を停止し、各プレートの反応容器（ウェル）の吸光度を光度計で測定する。
発生する汚染は影響を受けたマイクロタイタープレートの各ウェルの黄色への変色として現れ、その変色の色純度は汚染の程度に正比例している。典型的な結果を表６、７および８に示す。
この方法の検出限界はそれぞれ１０μｌのＰＯＤストック溶液の明確な連続希釈液をそれぞれ１００μｌの色原体／バッファー基質溶液に分注することにより測定された。反応を停止した後に光度計で測定した各濃度の吸光度を、バックグラウンド値と比較して次表に要約する。検出限界は２５ｐｇのＰＯＤ／ｍｌ未満であり、１：１０７の希釈度に相当する。
【００９５】
【表１】
2004516464.tif 000002
【００９６】
モデルＢの変形：これらの中の１つで３個のプレートがない；代りにたった１個の単一プレートがＡポジションに位置し、そのローディング／分注スキームはモデルＢのプレートＣのものに相当する。プレートは完全に上記のように処理される。
問題に応じて、酵素溶液が幅広くロードされる部位を変えながら全プレートポジションにある４個のプレートを検査することもできる。
【００９７】
実施例３
モデルＢのエンザイグノスト（登録商標）試験への適用
この場合、測定対象の検体を高濃度で含有する約２０〜３０の血清を最初の３個のストリップにロードし、そして約７０の検体を含まない血清をエンザイグノスト（登録商標）試験のためのマイクロタイタープレートの残りのウェルにロードする。
検体を含まない血清だけをロードしたマイクロタイタープレートを追加的にポジションＡおよびＢに置く時、プレートはポジションＡ（モデルＢの変形）またはポジションＣに配置される。
さらに、ＢＥＰ（登録商標）２０００は全自動化された方法で試験に応じて、エンザイグノスト（登録商標）試験のための相当するパック封入物に記載の方法に従ってプレートの処理を行なう。
また、同じプレートローディングを使用する比較試験を行ない、そのサンプルは手で分注し、ＥＬＩＳＡはＢＥＰＩＩＩ（登録商標）を使用して並行に行なう。これにより、汚染が原因とは考えられない高いＯＤ値を自然に（母液が関係して）発生させるサンプルを確認することができる。
ＨＢｓＡＧに関して、ローディングスキームをエンザイグノスト（登録商標）試験に適用することにより得られる典型的な結果を、表１（本発明の方法を適用する前）および表１６（本発明を実施した後）に記録する。
【００９８】
【表２】
2004516464.tif 000003
【００９９】
【表３】
2004516464.tif 000004
【０１００】
【表４】
2004516464.tif 000005
【０１０１】
【表５】
2004516464.tif 000006
【０１０２】
【表６】
2004516464.tif 000007
【０１０３】
【表７】
2004516464.tif 000008
【０１０４】
【表８】
2004516464.tif 000009
【０１０５】
【表９】
2004516464.tif 000010
【０１０６】
【表１０】
2004516464.tif 000011
【０１０７】
【表１１】
2004516464.tif 000012
【０１０８】
【表１２】
2004516464.tif 000013
【０１０９】
【表１３】
2004516464.tif 000014
【０１１０】
【表１４】
2004516464.tif 000015
【０１１１】
【表１５】
2004516464.tif 000016
【０１１２】
【表１６】
2004516464.tif 000017
【０１１３】
【表１７】
2004516464.tif 000018
【０１１４】
【表１８】
2004516464.tif 000019
【０１１５】
【表１９】
2004516464.tif 000020
【０１１６】
【表２０】
2004516464.tif 000021
【０１１７】
【表２１】
2004516464.tif 000022
【０１１８】
【表２２】
2004516464.tif 000023
【０１１９】
【表２３】
2004516464.tif 000024
【０１２０】
【表２４】
2004516464.tif 000025
【図面の簡単な説明】
【図１】
Ｓｔｒａｔｅｃ社により開発され、ＥＬＩＳＡの各工程をすべて処理するために完全に自動化された機械ＢＥＰ ２０００を示す。
【図２】
試薬貯蔵庫（ＲＳ）を示す。その上を移動可能なピペッターユニット（ＰＵ）を有するロボットアーム（ＲＡ）が移動する。
【図３】
ＢＥＰ ２０００の作業面への下向きの線図を示す。
【図４】
マイクロタイタープレート（ＭＴＰ）上のウエルの配置を示す。
【図５】
プロファイル設定例を示す。
【図６】
いろいろな大きさのしぶきの発生を示す。
【図７】
最適化された分配プロファイルを示す。
【図８】
改良されたしぶきの発生を示す。
【図９】
最適化された分配プロファイルを示す。
【図１０】
カバーリングの一例を示す。
【図１１】
すべての手段が講じられた時に汚染効果は完全に減少されることを示す。
【図１】
2004516464.tif 000026
【図２】
2004516464.tif 000027
【図３】
2004516464.tif 000028
【図４】
2004516464.tif 000029
【図５】
2004516464.tif 000030
【図６】
2004516464.tif 000031
【図７】
2004516464.tif 000032
【図８】
2004516464.tif 000033
【図９】
2004516464.tif 000034
【図１０】
2004516464.tif 000035
【図１１】
2004516464.tif 000036
【国際公開パンフレット】
2004516464.tif 000037
2004516464.tif 000038
2004516464.tif 000039
2004516464.tif 000040
2004516464.tif 000041
2004516464.tif 000042
2004516464.tif 000043
2004516464.tif 000044
2004516464.tif 000045
2004516464.tif 000046
2004516464.tif 000047
2004516464.tif 000048
2004516464.tif 000049
2004516464.tif 000050
2004516464.tif 000051
2004516464.tif 000052
2004516464.tif 000053
2004516464.tif 000054
2004516464.tif 000055
2004516464.tif 000056
2004516464.tif 000057
2004516464.tif 000058
2004516464.tif 000059
2004516464.tif 000060
2004516464.tif 000061
2004516464.tif 000062
2004516464.tif 000063
2004516464.tif 000064
2004516464.tif 000065
2004516464.tif 000066
2004516464.tif 000067
2004516464.tif 000068
2004516464.tif 000069
2004516464.tif 000070
2004516464.tif 000071
2004516464.tif 000072
2004516464.tif 000073
2004516464.tif 000074
2004516464.tif 000075
2004516464.tif 000076
2004516464.tif 000077
2004516464.tif 000078
2004516464.tif 000079
2004516464.tif 000080
2004516464.tif 000081
2004516464.tif 000082
2004516464.tif 000083
2004516464.tif 000084
2004516464.tif 000085
2004516464.tif 000086
2004516464.tif 000087
2004516464.tif 000088
2004516464.tif 000089
2004516464.tif 000090
2004516464.tif 000091
2004516464.tif 000092
2004516464.tif 000093
2004516464.tif 000094
2004516464.tif 000095
2004516464.tif 000096
2004516464.tif 000097
2004516464.tif 000098
2004516464.tif 000099
2004516464.tif 000100
2004516464.tif 000101
2004516464.tif 000102
2004516464.tif 000103
2004516464.tif 000104
2004516464.tif 000105
2004516464.tif 000106
2004516464.tif 000107
2004516464.tif 000108
【国際調査報告】
2004516464.tif 000109
2004516464.tif 000110
2004516464.tif 000111
2004516464.tif 000112